(57)【要約】【目的】料理の際に片手で正確に粉状物を計測できると共に、容易に分離でき、且つ洗浄しやすく衛生的な擦り切り型の計量スプーンを提供すること。【構成】計量容器部３と握り部４からなるスプーン本体部１と、蓋部５と摺動操作部６からなる摺り切り部材２とを備えること。握り部４に対して摺動操作部６が摺動可能に構成されると共に、計量容器部３の上位置に蓋部５が合わさったときに停止できる弾性のストッパー部７が設けられてなること。【選択図】    図１
2019032244.tif 000002
【特許請求の範囲】
【請求項１】
計量容器部と握り部からなるスプーン本体部と、蓋部と摺動操作部からなる摺り切り部材とを備え、前記握り部に対して前記摺動操作部が摺動可能に構成されると共に、前記計量容器部の上位置に前記蓋部が合わさったときに停止できる弾性のストッパー部が設けられてなることを特徴とする計量スプーン。
【請求項２】
請求項１において、前記スプーン本体部と摺り切り部材とを着脱自在としてなることを特徴とする計量スプーン。
【請求項３】
請求項１又は２において、前記握り部の幅方向にガイド部が形成され、該ガイド部間を前記摺り切り部材の摺動操作部が摺動可能に構成されてなることを特徴とする計量スプーン。
【請求項４】
請求項１，２又は３において、前記ストッパー部は、前記握り部の部材と同一部材に対して平面的に見てコ字状の隙間を設けて弾性変形可能に構成されると共に、該ストッパー部の先端側の突起部が、前記摺り切り部の下面に形成された長溝端に係止される構成としてなることを特徴とする計量スプーン。
【請求項５】
請求項１，２，３又は４において、前記握り部の中間位置で分割可能に構成されてなり、該握り部の外側位置の部材を共通部材として構成すると共に、前記計量容器部と連続する握り部部分とを、大匙タイプ、小匙タイプ、極少小匙タイプとしてなることを特徴とする計量スプーン。
【請求項６】
請求項１，２，３，４又は５において、前記計量容器部及び前記蓋部を平面的に見て真円、且つ同等半径となすと共に、前記計量容器部は半球状に形成されてなり、前記蓋部の外形半径と前記計量容器部の垂直断面における内径半径とが同一に形成されてなることを特徴とする計量スプーン。
【発明の詳細な説明】
【技術分野】
【０００１】
本発明は、料理の際に粉状物の計量に用いられる擦り切り型の計量スプーンにおいて、粉状物を片手のみで正確に計量することができると共に、計量スプーンの構成部材を容易に分離でき、且つ簡易に洗浄できる計量スプーンに関する。
【背景技術】
【０００２】
従来より、種々の粉状物を計量する際に用いられる擦り切り型の計量スプーンが開発され、その形状も種々のものが存在する。計量スプーンのみで粉状物を計量できるように、粉状物を計量するための計量スプーン本体部と、該本体部に摺り切り部材を摺動させるためのガイド部が設けられ、擦り切り部材を、スプーン本体部の長手方向にスライドさせて計量するものが多い。例えば、特許文献１及び特許文献２が存在している。
【０００３】
特許文献１及び特許文献２に記載の擦り切り型の計量スプーンは、計量スプーンのみで正確に粉状物を計量することができる。しかしながら、上記計量スプーンは、計量する際にはスプーン本体部を手に持ち、他方の手によって擦り切り部材に備えられた取っ手部分又はつまみ部分を掴み、擦り切り部材を移動させて計量するため、両手で操作しなければならないという問題があった。
【０００４】
また、調理用器具である計量スプーンは、使用毎に洗浄することが衛生的に望ましいが、特許文献２のように、計量スプーン本体部と擦り切り部材が分離できない構造であると、洗浄がしにくい。他方、特許文献１のように、擦り切り部材のスライド方向にストッパーが片方のみの構造であれば、部材は分離しやすいが計量時に粉状物が漏れないように押さえていなければならない不都合があった。
【先行技術文献】
【特許文献】
【０００５】
【特許文献１】特開２００３−８３７９２号公報
【特許文献２】特開２０１５−４９０８９号公報
【発明の概要】
【発明が解決しようとする課題】
【０００６】
このため、本発明が解決しようとする課題（技術的課題又は目的等）は、料理の際に片手のみで正確に粉状物を計測できると共に、容易に分離でき、且つ洗浄しやすく衛生的な擦り切り型の計量スプーンを実現することである。
【課題を解決するための手段】
【０００７】
そこで、発明者は上記課題を解決すべく鋭意，研究を重ねた結果、請求項１の発明を、計量容器部と握り部からなるスプーン本体部と、蓋部と摺動操作部からなる摺り切り部材とを備え、前記握り部に対して前記摺動操作部が摺動可能に構成されると共に、前記計量容器部の上位置に前記蓋部が合わさったときに停止できる弾性のストッパー部が設けられてなることを特徴とする計量スプーンとしたことにより、前記課題を解決した。
【０００８】
請求項２の発明を、請求項１において、前記スプーン本体部と摺り切り部材とを着脱自在としてなることを特徴とする計量スプーンとしたことにより、前記課題を解決した。また、請求項３の発明を、請求項１又は２において、前記握り部の幅方向にガイド部が形成され、該ガイド部間を前記摺り切り部材の摺動操作部が摺動可能に構成されてなることを特徴とする計量スプーンとしたことにより、前記課題を解決した。
【０００９】
請求項４の発明を、請求項１，２又は３において、前記ストッパー部は、前記握り部の部材と同一部材に対して平面的に見てコ字状の隙間を設けて弾性変形可能に構成されると共に、該ストッパー部の先端側の突起部が、前記摺り切り部の下面に形成された長溝端に係止（一般に、引っ掛かって止まることを言う）される構成としてなることを特徴とする計量スプーンとしたことにより、前記課題を解決した。
【００１０】
請求項５の発明を、請求項１，２，３又は４において、前記握り部の中間位置で分割可能に構成されてなり、該握り部の外側位置の部材を共通部材として構成すると共に、前記計量容器部と連続する握り部部分とを、大匙タイプ、小匙タイプ、微少小匙タイプとしてなることを特徴とする計量スプーンとしたことにより、前記課題を解決したものである。
【００１１】
請求項６の発明を、請求項１，２，３，４又は５において、前記計量容器部及び前記蓋部を平面的に見て真円、且つ同等半径となすと共に、前記計量容器部は半球状に形成されてなり、前記蓋部の外形半径と前記計量容器部の垂直断面における内径半径とが同一に形成されてなることを特徴とする計量スプーンしたことにより、前記課題を解決したものである。
【発明の効果】
【００１２】
請求項１の発明においては、擦り切り部材に設けられた溝に係止するよう握り部部分に弾性のストッパー部を設けたことにより、擦り切り部材を摺動させ、計量容器部を擦り切り部材によって閉口すると同時にスライドがストッパー部によって停止されるため、粉状物を正確かつ容易に計量することができる。
【００１３】
さらに、計量スプーン及び摺り切り部材は軽量であるため、例えば、計量スプーン本体部を親指以外の指で固定し、擦り切り部材の上部を親指で押さえるようにすることで、上述した操作全てを片手で簡単に操作可能となる。尚、摺り切り部材には、摺動時に操作するための取っ手部や摘み部は無く、摺り切り部材の表面部のどの部分を押さえても操作可能であるため、操作し易くなっている。
【００１４】
請求項２の発明においては、スプーン本体部と摺り切り部材を着脱自在としたことにより、閉口後さらに計量容器部方向に摺動させると、ストッパー部が握り部の下方向に僅かに撓むことでストッパー部が溝から外れ、計量スプーン本体部と擦り切り部材を簡単に分離できるため、洗浄し易くなっている。
【００１５】
さらに、スプーン本体部と摺り切り部材を分離させることで、粉状物を計量容器部に掬い入れた後、分離した摺り切り部材を計量容器部の口部に対して垂直に差し込み、粉状物を計量容器部からかきだすことで、計量容器部容量の１／２，１／３容量等の目安の計量ができる。
【００１６】
請求項３の発明においては、握り部の両側にガイド部を形成したことにより、摺り切り部材を摺動させるとき、スプーン本体部を摺り切り部材がガイド部によって幅方向が固定されているため、長手方向に正確且つ容易に計量容器部を閉口させることが可能であるため、計量時の操作性を向上させた。
【００１７】
請求項４の発明においては、握り部材にコ字状の隙間を形成し、隙間の内側部分を弾性のストッパー部を設けたことにより、握り部材とストッパー部が一体としてなることにより、計量スプーン全体の重量を軽量化させると共に、製造時のコストを削減させることができる。  
【００１８】
請求項５発明においては、前記握り部の中間位置で分割可能に構成されてなり、該握り部の外側位置の部材を共通部材として構成することで、握り部箇所部材共通として、セット部材全体の金型対策としても安価に製造できると共に、簡易構成の前記計量容器部のみの大きさを変えたタイプで安価なるコストで製造でき、ひいては生産コストを削減することができる。さらに、握り部部分は同じ構造であるために、大きさの異なる匙であっても、取扱し易いすいものにできる。
【００１９】
請求項６発明においては、請求項１，２，３，４又は５において、前記計量容器部及び前記蓋部を平面的に見て真円、且つ同等半径となすと共に、前記計量容器部は半球状に形成されてなり、前記蓋部の外形半径と前記計量容器部の垂直断面における内径半径とが同一に形成された計量スプーンとしたことで、この場合には両手とはなるが、大匙、小匙、さらには極少小匙の半分、３分の１、４分の１等を正確に計測できる利点がある。  
【図面の簡単な説明】
【００２０】
【図１】(Ａ)は本発明の第１実施形態の斜視図、(Ｂ)計量容器部が閉口状態の本発明の第１実施形態の斜視図である。（Ｃ）及び（Ｄ）は本発明の第１実施形態の使用状態を示す斜視図である。
【図２】(Ａ)は本発明の第１実施形態であって、スプーン本体部と摺り切り部材とが分離している斜視図、(Ｂ)は（Ａ）のスプーン本体部の平面図、(Ｃ)は（Ｂ）のスプーン本体部の中央縦断側面図、(Ｄ)は（Ｃ）のＹ１−Ｙ１矢視断面図、（Ｅ）は（Ａ）の摺り切り部材の平坦図、（Ｆ）は（Ｅ）の中央縦断側面図である。
【図３】(Ａ)は本発明の第１実施形態で摺り切り部材を引いた状態の平面図、 (Ｂ)は（Ａ）の中央縦断側面図、 （Ｃ）本発明の第１実施形態で摺り切り部材を途中まで閉じた状態の平面図、（Ｄ）は（Ｃ）の中央縦断側面図、（Ｅ）発明の第１実施形態で摺り切り部材を閉じた状態の平面図、（Ｆ）は（Ｅ）の中央縦断側面図、（Ｇ）は（Ｆ）の（α）部拡大図である。
【図４】(Ａ)は本発明の第２実施形態の分割されたスプーン本体部の斜視図、 (Ｂ) 本発明の第２実施形態の結合されたスプーン本体部の斜視図である。
【図５】(Ａ) は本発明の第２実施形態の分割されたスプーン本体部の中央縦断側面図、(Ｂ) 本発明の第２実施形態の結合されたスプーン本体部の中央縦断側面図、（Ｃ）は（Ｂ）のＹ２−Ｙ２矢視断面図、（Ｄ）は（Ｂ）のＹ３−Ｙ３矢視断面図である。
【図６】(Ａ)は本発明の第１実施形態の変形例であって、別部材のストッパー部が設けられた中央縦断側面図、（Ｂ）は（Ａ）の（β）部拡大図である。
【図７】本発明の第２実施形態であって、大匙タイプ、小匙タイプ、極少小匙タイプとがセットでまとめられている平面図である。
【図８】（Ａ）はスプーン本体部の計量容器部に摺り切り部材の蓋部を垂直状に入れた状態の斜視図、(Ｂ)は(Ａ)の使用状態を示す要部斜視図、(Ｃ)は匙２分の１を計っている状態の中央縦断側面図、（Ｄ）は(Ａ)の要部箇所が分離している簡易図、（Ｅ）は(Ａ)の要部箇所が接触状態の簡易図である。
【発明を実施するための形態】
【００２１】
以下、本発明の実施形態について図面に基づいて説明すると、図１乃至図８は本発明の第１実施形態及び第２実施形態が記載されている。これらの実施の形態の計量スプーンは、計量容器部３及び握り部４からなるスプーン本体部１と、蓋部５と摺動操作部６からなる摺り切り部材２とで構成されている。前記スプーン本体部１及び摺り切り部材２は合成樹脂材にて製造されている。また、前記握り部４には、弾性のストッパー部７が設けられている。
【００２２】
次に、本発明の計量スプーンの第１実施形態について、図１乃至図３に基づいて説明する。この第１実施形態では、特に、前記スプーン本体部１が１部材として構成されている。図２（Ａ）に示すように、該スプーン本体部１の握り部４は縦長に形成され、この両側に摺動可能な板材を挿入できるガイド部４１，４１が設けられ、該ガイド部４１，４１を前記摺り切り部材２の摺動操作部６の両側部が長手方向に摺動可自在に構成されている。
【００２３】
図２（Ａ），（Ｂ），（Ｃ）に示すように、上記スプーン本体部１の計量容器部３は、一般には、半球状に形成されているが、この形状に特定されるものではなく、形状は平面的に見て四角柱状でもよい。さらに、前記計量容器部３の容量は既知の容量、例えば大匙（１５ｍｌ：ミリリットル）、小匙（５ｍｌ）、極少小匙（１ｍｌ）等の大きさに構成されている。特に、１ｍｌを正確に計量できる点が本発明の利点である。カロリー又は塩分等制限された患者であっても容易に少量を正確に計量できる。
【００２４】
図２（Ｂ）及び（Ｃ）に示すように、上記スプーン本体部１の両ガイド部４１，４１の高さは、前記摺動操作部６の厚みと同等になるようにして遊挿されている。また、前記ガイド部４１，４１の中間位置には、弾性のストッパー部７が設けられている。具体的には、該ストッパー部７は、握り部４の平面上に前記計量容器部３の長手方向側を凸部分としてコ字状に、且つ、握り部４の側面上に対して水平方向に、幅約１mmの裏面まで貫通する隙間部を設けることで、前記握り部と一体となるストッパー部７が形成されている[図２（Ｄ）参照]。
【００２５】
該ストッパー部７は、打ち抜き状としてコ字状部の貫通した両隙間は、前記ガイド部４４，４１と平行に形成されている。さらに前記ストッパー部７の先端部を上から押さえたときに下方向に僅かに撓むように、十分な長さを有している[図３（Ｅ）乃至（Ｇ）参照]。さらに、該ストッパー部７の先端部分には四角錐台の突起部７１が設けられている。  
【００２６】
ストッパー部は、上記の握り部４と一体の構成以外に、図６（Ａ）に示すように、金属製の弾性板部材を設ける場合もある。前記握り部４に、長方形の孔４２を設け、突起部７１を備えた金属製の弾性板部材を、前記溝６１に該突起部７１が係止するよう握り部４の裏面から取り付け、握り部４に該弾性板部材をビス等で固定されている。
【００２７】
摺り切り部材２は、図２（Ｅ）及び（Ｆ）に示すように、蓋部５と摺動操作部６から構成されている。前記蓋部５は円形状に形成され、図８（Ｄ）及び（Ｅ）に示すように、粉状物を計量容器部３よりかき出す際に、計量容器部３と蓋部５の接地面から粉状物が漏れのないよう形成されている。
【００２８】
摺動操作部６は、ガイド部４１，４１を摺動するよう断面が凸状に形成されている。又、摺動操作部６の裏面（握り部４の平面に接する面）には、長方形の溝６１が設けられている。該溝６１は、計量スプーン本体部１と摺り切り部材２を組み合わせたときに、突起部７１と溝６１が係止するよう形成され、さらに、図２（Ｆ）に示すように、溝６１の断面は台形状に形成されている。
【００２９】
上記構成において、粉状物を計量する際は、次のように操作する。まず、図１（Ｂ）の位置で、片手の親指以外の指で計量スプーン本体部１（握り部４）を持ち、親指で摺り切り部材２の上面を押さえたまま、摺り切り部材２を握り部４の後方に計量容器部３が開口するまで摺動させる。開口後において摺り切り部材２を摺動させ続けても、蓋部５とガイド部４１，４１の端部が接触、又は突起部７１が溝６１の端部と接触するため、摺動が停止され、スプーン本体部１と摺り切り部材２は分離されない[図１（Ｃ），図３（Ａ）及び（Ｂ）参照]。
【００３０】
上記状態から、しお、さとう等の粉状物を計量容器部３に入れる。次に、図３（Ｃ）及び（Ｄ）に示すように、計量容器部３に粉状物を入れた状態で、摺り切り部２を握り部４の前方へと摺動させ、計量容器部３と蓋部５を閉口し、密閉することで、計量容器部３から盛り上がった粉状物を摺り切っていく[図１（Ｄ）参照]。図３（Ｅ）乃至（Ｇ）に示すように、上記閉口と同時に突起部７１とが溝６１と接触して摺動が停止する。
【００３１】
計量が完了した後は、操作開始と同じく、摺り切り部材２を握り部４の後方に摺動させ、計量容器部３を開口し、粉状物を排出させる。
【００３２】
また、計量スプーンを洗浄するために構成部材を分離する際は、計量時同様に片手の親指以外の指で計量スプーン本体部１（握り部４）を持ち、親指で摺り切り部材２の上面を押さえながら摺り切り部材を摺動させて操作する。具体的には、次のように行う。
【００３３】
図３（Ｆ）に示すように、閉口状態から、さらに計量スプーン本体部１の前方に摺り切り部材２を摺動させようと力を加え続けることで、突起部７１及び溝６１の接地面が斜めに形成されていること及び突起部７１が設けられているストッパー部７の弾性により、ストッパー部７の突起部７１側の端部が計量スプーンの下方向に僅かに撓むため、突起部７１と溝６１との係止が外れる[図３（Ｇ）点線位参照]。
【００３４】
突起部７１と溝６１が外れた後も、摺り切り部材２を摺動させることで、ガイド部４１から摺り切り部材２が外れることで、計量スプーン本体部１と摺り切り部材２を分離させることができる。実際には、これらの動作（外し動作）は殆ど一瞬にできる。
【００３５】
さらに、スプーン本体部１と摺り切り部材２を分離させ、摺り切り部材２を使用して粉状物を計量容器部３から粉状物を正確にかき出す際は、次のように操作する。図８（Ａ），（Ｂ）及び（Ｃ）に示すように、計量容器部３に粉状物が摺り切りを行った状態の計量容器部３に、スプーン本体部１に対して摺り切り部材２の蓋部５を垂直方向に計量容器部３内に計量容器部３の内面と蓋部５の外面が接地するまで挿入する。
【００３６】
次に、摺り切り部材２を計量容器部３の先端側に粉状物をかき出す。この際、図８（Ｄ）及び（Ｅ）に示すように、計量容器部３の内径Ｒａと蓋部５の外径Ｒｂが同一であるため、接地面から粉状物の漏れ出しを抑えることができると共に、正確に粉状物をかき出すことができる。
【００３７】
図４及び図５には本発明の第２実施形態が記載されている。この実施の形態の計量スプーンは、図４（Ａ）に示すように、前記握り部４の中間位置で分割可能に構成されてなり、該握り部４の外側位置部材４Ａが共通部材として構成されている。該外側位置部材４Ａには、前記ガイド部４１，４１が設けられている。具体的には、前記握り部４の内側位置部材４Ｂと、それぞれの大きさタイプの計量容器部３とが一体化されている。
【００３８】
前記握り部４の外側位置部材４Ａと前記握り部４の内側位置部材４Ｂとの接続箇所について説明する。該内側位置部材４Ｂの内端[図５（Ａ）において右端]には挿入突起４Ｂａが形成され、且つ外側位置部材４Ａの外端[図５（Ａ）において左端]にはガイド溝４Ａａが形成され[図５（Ａ）参照]、該ガイド溝４Ａａに前記挿入突起４Ｂａが嵌合される[図５（Ｂ）参照]。この嵌合にて相互の内面が密着するように製造されている。
【００３９】
このように、前記外側位置部材４Ａ及び内側位置部材４Ｂは、３タイプの（大匙、小匙、極少小匙でセットという。）であっても、全て共通部材として構成さている。つまり、前記外側位置部材４Ａは、ガイド部４１，４１を備えており、比較的複雑化した部材であり、これと前記簡単な前記内側位置部材４Ｂ及び匙部を別としても、セット販売を基本とした場合に金型等のコスト軽減ができる。
【００４０】
また、図５（Ｂ）に示すように、通常においては、簡単に分離できないように構成されており、計量時や洗浄時のスプーン本体部１と摺り切り部材２の分離における摺動操作でも外側位置部材４Ａ及び内側位置部材４Ｂは分離されることはない。
【００４１】
さらに、符号８は、図７において１セットを止める止め輪である。そのセットを使うときには、外側位置部材４Ａは共通の同じ大きさ及び太さの握りであり、使い勝手に優れたものを提供できるものである。
【符号の説明】
【００４２】
１…計量スプーン本体部、２…摺り切り部材、３…計量容器部、４…握り部、
４１…ガイド部、４Ａ…外側位置部材、４Ａa…ガイド溝、４Ｂ…内側位置部材、
４Ｂa…挿入突起、５…蓋部、６…摺動操作部、６１…溝、７…ストッパー部、
７１…突起部。
【図１】
2019032244.tif 000003
【図２】
2019032244.tif 000004
【図３】
2019032244.tif 000005
【図４】
2019032244.tif 000006
【図５】
2019032244.tif 000007
【図６】
2019032244.tif 000008
【図７】
2019032244.tif 000009
【図８】
2019032244.tif 000010